(57)【要約】      （修正有）【課題】外囲板の結合部の防水性、気密性に優れ、且つ意匠性を持たせることができる屋根などの外囲体を提供する。【解決手段】吊り子４には、その上端に矢尻状に係合体４ｃが形成されている。外囲板６は、起立方向に屈折された左右対称の立ち上がり部と該立ち上がり部に形成された下向きに開口する凹曲面と立ち上がり部の上部に形成された筒状部６ｍ，６ｎとからなる。カバー１０は下方向に伸びる左右対称の側面傾斜部１０ｂ，１０ｃと引掛部１０ｄ，１０ｅとを有する。下地材２に固定された複数の吊り子４間に外囲板６を配置し、該外囲板６の一側の筒状部６ｍを対応する吊り子４の係合体４ｃに嵌合し、外囲板６他側の筒状部６ｎを対応する吊り子４の係合体４ｃに、隣接する他の外囲板６の一側の筒状部６ｍの上から嵌合し、該嵌合部にカバー１０を被せ、該カバー１０の両側の引掛部を対面する外囲板６の凹曲面に係合させる。【選択図】  図１
2006219924.tif 000002
【特許請求の範囲】
【請求項１】
下地材に雨水が浸入しないように下地材を覆う外囲体であって、下部ベースに一体的に垂直部が形成され該垂直部の上端に矢尻状に係合体が形成された吊り子と、長尺状の平板部の両側に該平板部に対して所定の角度を有して起立方向に屈折された左右対称の立ち上がり部と該立ち上がり部にその長手方向に沿って形成された下向きに開口する凹曲面と前記立ち上がり部の上部に形成された一部が下向きに開口する筒状部とからなる金属製の外囲板と、下方向に伸びる左右対称の側面傾斜部と該側面傾斜部の下端から内側に向けてＶ字状に上向きに屈折された引掛部とを有するカバーとを備え、複数の前記吊り子の下部ベースを所定間隔を存して前記下地材に固定し、前記吊り子間に前記外囲板を配置し、該外囲板の一側の筒状部を対応する前記吊り子の係合体に嵌合し、該外囲板の他側の筒状部を対応する吊り子の係合体に、隣接する他の外囲板の一側の筒状部の上から嵌合し、該嵌合部に前記カバーを被せ、該カバーの両側の引掛部を対面する外囲板の前記凹曲面に係合させたことを特徴とする外囲体。
【請求項２】
前記外囲板の側面傾斜部の上方に前記吊り子の垂直部に合接する合接部を形成したことを特徴とする請求項１に記載の外囲体。
【発明の詳細な説明】
【技術分野】
【０００１】
本発明は、建物の屋根や外壁として用いられる外囲体に関する。
【背景技術】
【０００２】
吊り子に矢尻状に係合体を形成し、該係合体に金属製の外囲板の立ち上がり部に形成した筒状の嵌合部を嵌合させ、互いに隣接する外囲板同士を接合する外囲体が従来知られている（例えば特許文献１参照）。また、下地材上に複数隣接配置された屋根板の側部を吊り子を介して結合し、この結合部にキャップあるいは、カバーを被せることは従来行われている。
【特許文献１】特許第３５７４９８０号公報
【発明の開示】
【発明が解決しようとする課題】
【０００３】
従来の、吊り子を使用した屋根板の結合部は、隣接する屋根板の側部同しを突き合わせたり、あるいは、重ね合わせている構造が一般的であり、この結合部にキャップを被せても、十分な防水効果を得ることができなかった。また、金属製外囲板に筒状の嵌合部を設け、この嵌合部を吊り子の係合体に嵌合させる工法は、結合部に高い防水性、気密性が得られるが、屋根として雨漏りはあってはならないことであり、、更に高い完全な防水性、気密性が要求されている。
本発明は、雨漏りを防止するためのより高いレベルの防水性、気密性を備えた結合部を有する外囲体を提供することを目的とするものである。
【課題を解決するための手段】
【０００４】
上記目的を達成するため本発明は、下地材に雨水が浸入しないように下地材を覆う外囲体であって、下部ベースに一体的に垂直部が形成され該垂直部の上端に矢尻状に係合体が形成された吊り子と、長尺状の平板部の両側に該平板部に対して所定の角度を有して起立方向に屈折された左右対称の立ち上がり部と該立ち上がり部にその長手方向に沿って形成された下向きに開口する凹曲面と前記立ち上がり部の上部に形成された一部が下向きに開口する筒状部とからなる金属製の外囲板と、下方向に伸びる左右対称の側面傾斜部と該側面傾斜部の下端から内側に向けてＶ字状に上向きに屈折された引掛部とを有するカバーとを備え、複数の前記吊り子の下部ベースを所定間隔を存して前記下地材に固定し、前記吊り子間に前記外囲板を配置し、該外囲板の一側の筒状部を対応する前記吊り子の係合体に嵌合し、該外囲板の他側の筒状部を対応する吊り子の係合体に、隣接する他の外囲板の一側の筒状部の上から嵌合し、該嵌合部に前記カバーを被せ、該カバーの両側の引掛部を対面する外囲板の前記凹曲面に係合させたものである。
また本発明は、前記外囲板の側面傾斜部の上方に前記吊り子の垂直部に合接する合接部を形成したものである。
【発明の効果】
【０００５】
本発明は、筒状部の結合による結合構造とカバーとの結合によりより高い防水性、気密性を実現でき、しかも、カバーに形状の自由度が許容されるため、外観に意匠性を持たせることができる。
【発明を実施するための最良の形態】
【０００６】
以下に本発明の実施の形態を添付した図面を参照して詳細に説明する。
図１において、符号２は建物の梁上に固設された下地材であり、木材、あるいは、コンクリートあるいはデッキプレート、あるいは断熱ボード等により構成されている。前記下地材２の上方には、防水シート材からなるルーフィング（図示省略）が敷かれている。
【０００７】
４は鉄などの金属からなる吊り子であり、図２に示すように、帯板状の所定幅の下部ベース４ａと、下部ベース４ａに立設された帯板状の垂直部４ｂと、該垂直部４ｂの上端に一体的に固設された矢尻形状の係合体４ｃとから構成されている。前記吊り子４は、複数、外囲板６どうしの所定の接合部に位置するように、下地材２上に用意され、各下部ベース４ａが、断熱パッド８を介して、ルーフィングの上から下地材２にビスなどの止着具により固定されている。
【０００８】
前記係合体４ｃは、先細りの先端頂部ａと、該頂部ａの両側に下方に伸びる傾斜面ｂ，ｃと、顎部ｄ，ｅとを備えている。外囲板６は、長尺状の鉄や鋼板等の金属板からなり、平板部６ａの両側に、該平板部に対して角度を有し、外方に傾いた下部傾斜面６ｂ，６ｃと、上部傾斜面６ｄ，６ｅを有する立ち上がり部が形成され、これら立ち上がり部にその傾斜面６ｂ，６ｃと傾斜面６ｄ，６ｅの境界に引っ掛け用凹曲面６ｆ，６ｇが形成されている。
【０００９】
また、平板部６ａの両側の立ち上がり部の上部傾斜面６ｄ，６ｅの上端には、平板部６ａに対して水平方向に、外側に向けて帯状水平部６ｈ，６ｉが屈折形成され、更に、帯状水平部の一端は、上向き垂直方向に屈折されて合接部６ｊ，６ｋが形成されている。該合接部６ｊ，６ｋの上端には一部が下向きに開いた筒状部６ｍ，６ｎが形成され、全体として立ち上がり部を構成している。外囲板６の平板部６ａの両側の立ち上がり部の形状は、左右対称形となっている。
【００１０】
１０は、金属板からなる、屋根の全長にわたって伸びる長尺状のカバーであり、帯状の水平頂部１０ａと、その両側から斜め下方に伸びる左右対称の側面傾斜部１０ｂ，１０ｃと、側面傾斜部１０ｂ，１０ｃの下端から内側に向けてＶ字状に上向きに屈折された、左右対称の引掛部１０ｄ，１０ｅとから形成されている。
【００１１】
次に、下地材２上に外囲板６を屋根として組み立てる作業について説明する。
まず、下地材２上の所定の位置に吊り子４の下部ベース４ａを配置し、ビスによって断熱パッド８の上から下地材２に固着する。次に、複数の外囲板６を下地材２上に並列状に配置し、互いに隣接する一対の外囲板６，６の中の、一方の外囲板６の筒状部６ｍを、吊り子４の係合体４ｃに押し込んで嵌合し、合接部６ｊを吊り子４の垂直部４ｂの一方の面に合接させる。
【００１２】
次に、隣接する一対の外囲板６，６の中、他方の外囲板６の筒状部６ｎを、一方の外囲板６の筒状部６ｍの上から、吊り子４の係合体４ｃに押し込んで嵌合し、合接部６ｋを、吊り子４の垂直部４ｂの他方の面に合接させる。これにより、、隣接する一対の外囲板６，６は、吊り子４の係合体４ｃを介して、互いに結合される。
【００１３】
次に、一対の外囲板６，６の結合部に、カバー１０を被せ、引掛部１０ｄ，１０ｅを、一方の外囲板６の凹曲面６ｆと、他方の外囲板６の凹曲面６ｇに係合する。
上記した構成において、下地材２上面への雨水の浸入は、引掛部１０ｄ，１０ｅと、凹曲面６ｆ，６ｇとの結合部で阻止され、且つ、筒状部６ｍと筒状部６ｎとの嵌合部で二重に阻止される。  上記カバー１０の形状は建築家がデザインによって多様な形状にすることが可能であり、屋根としての機能に加えて、意匠性も備えることができる。
【図面の簡単な説明】
【００１４】
【図１】本発明の一実施形態である外囲体の外観説明図である。
【図２】吊り子の外観図である。
【図３】外囲板の一部の断面説明図である。
【図４】外囲板の一部の断面説明図である。
【符号の説明】
【００１５】
２      下地材
４      吊り子
６      外囲板
８      断熱パッド
１０    カバー
【図１】
2006219924.tif 000003
【図２】
2006219924.tif 000004
【図３】
2006219924.tif 000005
【図４】
2006219924.tif 000006